(57)【要約】      （修正有）【課題】園芸用支柱を地表に立てる際、地面が硬い場合や地中に小石などが存在している場合でも、前記支柱を地中に突き立てることなくまた別途杭打ちを行うことなく簡易にかつ安定的に前記支柱を立てることができる園芸用支柱受具を提供する。【解決手段】内径が園芸用支柱２の外径よりやや大きな支柱受用パイプ３の一端に盲蓋４を固着し、盲蓋４の外側中央に支柱受用パイプ３の外径の３分の１乃至５分の１の外径で支柱受用パイプ３の長さとほぼ同じ長さで、その先端が尖った棒状杭６を支柱受用パイプ３の軸心方向に固着し、支柱受用パイプ３の盲蓋４側の肉厚部に又は盲蓋４の任意の箇所に１以上の水抜き穴を設ける。【選択図】図２
0003202369.tif 000002
【実用新案登録請求の範囲】
【請求項１】
内径が園芸用支柱の外径よりやや大きな円筒状パイプの一端に盲蓋を固着し、前記盲蓋の外側中央に前記円筒状パイプの外径の３分の１乃至５分の１の外径で前記円筒状パイプの長さとほぼ同じ長さで、その先端が尖った棒状杭を前記円筒状パイプの軸心方向に固着し、前記円筒状パイプの前記盲蓋側の肉厚部に又は前記盲蓋の任意の箇所に１以上の水抜き穴を設けたことを特徴とする園芸用支柱受具。
【請求項２】
内径が園芸用支柱の外径よりやや大きな円筒状パイプの長手方向中央付近に前記円筒状パイプの径方向の対向する肉厚部に貫通するピンを打ち込み固定したことを特徴とする園芸用支柱接続具。
【考案の詳細な説明】
【技術分野】
【０００１】  本考案は、土壌に植えた植物の生育時に地表に立てる園芸用の支柱受具及び支柱接続具に関する。
【背景技術】
【０００２】  従来、園芸用支柱を地表に立てる場合には、前記支柱を直接地中に突き立てたり、この突き立てが難しい場合は予め地中に打ち込んだ木製などの杭に前記支柱を結束していた。
また、前記支柱が短い場合いわゆる寸足らずの場合は、支柱同士を一部重複させて結束し継ぎ足していた。
【先行技術文献】
【特許文献】
【０００３】
【特許文献１】  特開２０１０−０００００８号  公報
【考案の概要】
【考案が解決しようとする課題】
【０００４】  園芸用支柱を直接地中に突き立てる際、地面が硬い場合や地中に小石などが存在している場合には多大の労力が必要となり作業性が悪く、前記支柱が小径の場合は折れたり曲がったりすることがあった。
また、杭を打ち込む場合でも多大の手間と労力が必要で、さらに杭に前記支柱を結束する手間もかかっていた。
寸足らずの園芸用支柱を結束し継ぎ足す場合も結束手間がかかり煩雑な作業となっていた。【０００５】  そこで、これまでに例えば特許文献１に開示されているような園芸用支柱を立てる補助用具が開発され市販されているが、この発明の場合、地表の設置スペースを多く要することや構成部材が多いことで製作コスト面に課題があった。
本考案は、上記課題を解決することを目的としている。
【課題を解決するための手段】
【０００６】  請求項１に係る考案は、内径が園芸用支柱の外径よりやや大きな円筒状パイプの一端に盲蓋を固着し、前記盲蓋の外側中央に前記円筒状パイプの外径の３分の１乃至５分の１の外径で前記円筒状パイプの長さとほぼ同じ長さで、その先端が尖った棒状杭を前記円筒状パイプの軸心方向に固着し、前記円筒状パイプの前記盲蓋側の肉厚部に又は前記盲蓋の任意の箇所に１以上の水抜き穴を設けたことを特徴としている。【０００７】  請求項２に係る考案は、内径が園芸用支柱の外径よりやや大きな円筒状パイプの長手方向中央付近に前記円筒状パイプの径方向の対向する肉厚部に貫通するピンを打ち込み固定したことを特徴としている。
【考案の効果】
【０００８】  請求項１に係る考案によれば、園芸用支柱を地中に突き立てることなく、少力で地表に固定した支柱受具の内径部に支柱の一端を差し込むだけで良く、結束作業も不要なため作業性良くかつ安定的に園芸用支柱を地表に立てることができる。【０００９】  請求項２に係る考案によれば、園芸用支柱を寸足らずなどで継ぎ足す場合にこの接続具を用いれば継ぎ足す双方の支柱の端部を差し込むだけで重複部分なくかつ結束作業なしで簡易に継ぎ足すことができる。【００１０】  上記いずれの考案も、シンプルな構成のためコスト削減が図れ、さらにメンテナンス面でも有利である。
【図面の簡単な説明】
【００１１】
【図１】  （ａ）は本考案に係る園芸用支柱受具の平面図であり、（ｂ）は正面図である。
【図２】  本考案に係る園芸用支柱受具の斜視図である。
【図３】  図１の（ａ）におけるＡ−Ａ線に沿った断面図である。
【図４】  本考案に係る園芸用支柱接続具の平面図である。
【図５】  本考案に係る園芸用支柱接続具の斜視図である。
【考案を実施するための形態】
【００１２】  以下、本考案に係る園芸用支柱固定具と支柱接続具の一実施の形態について、図１乃至図５に基づいて説明する。
園芸用支柱受具１は、支柱受用パイプ３、盲蓋４及び棒状杭６より構成されており、支柱受用パイプ３の盲蓋側には水抜き穴５が１又は２個程度開けられている。なお、この水抜き穴５は、支柱受用パイプ３側ではなく盲蓋４側に開けてもよい。また、棒状杭６の先端は尖った形状をしており、棒状杭６を地中に差し込みやすくしている。
【００１３】  構成部材の材質を全て鋼製とすれば、盲蓋４及び棒状杭６は溶接で固着できる。支柱受用パイプ３及び棒状杭６の長さは、通常２０〜４０ｃｍ程度で両者ともほぼ同じ長さの構成とすれば効果的に作業性良く使用できる。
また、園芸用支柱の外径に応じて数種類のものを用意しておけば利便性が高まる。
【００１４】  この園芸用支柱受具１の使用方法は、先ず、支柱受用パイプ３を手で持ち、支柱を立てる位置の地面に盲蓋４が地表に接するまで差し込み、次に園芸用支柱２の一端を支柱受用パイプ３の内径部の奥まで差し込めばよい。
【００１５】  一方、園芸用支柱接続具７は、支柱接続用パイプ８の長手方向の中央付近に外側よりピン９を打ち込み固定した構成としており、園芸用支柱を継ぎ足す場合に園芸用支柱接続具７に継ぎ足す双方の支柱の端部をピン９に接するまで差し込むだけでよい。この園芸用支柱接続具７の長さは通常２０〜４０ｃｍのものが使用される。
また、園芸用支柱受具１と同様に園芸用支柱の外径に応じて数種類のものを用意しておけば利便性が高まる。
さらにこの園芸用支柱接続具７を横方向に用いれば横桟用の継ぎ足しにも利用できる。
【符号の説明】
【００１６】１    園芸用支柱受具
２    園芸用支柱
３    支柱受用パイプ
４    盲蓋
５    水抜き穴
６    棒状杭
６ａ  棒状杭先端部
７    園芸用支柱接続具
８    支柱接続用パイプ
９    ピン
【図１】
0003202369.tif 000003
【図２】
0003202369.tif 000004
【図３】
0003202369.tif 000005
【図４】
0003202369.tif 000006
【図５】
0003202369.tif 000007
【手続補正書】
【提出日】平成27年8月26日(2015.8.26)
【手続補正２】
【補正対象書類名】実用新案登録請求の範囲
【補正対象項目名】請求項２
【補正方法】削除
【補正の内容】
【手続補正３】
【補正対象書類名】明細書
【補正対象項目名】全文
【補正方法】変更
【補正の内容】
【考案の詳細な説明】
【技術分野】
【０００１】本考案は、土壌に植えた植物の生育時に地表に立てる園芸用の支柱受具に関する。
【背景技術】
【０００２】従来、園芸用支柱を地表に立てる場合には、前記支柱を直接地中に突き立てたり、この突き立てが難しい場合は予め地中に打ち込んだ木製などの杭に前記支柱を結束していた。
【先行技術文献】
【特許文献】
【０００３】
【特許文献１】  特開２０１０−０００００８号  公報
【考案の概要】
【考案が解決しようとする課題】
【０００４】園芸用支柱を直接地中に突き立てる際、地面が硬い場合や地中に小石などが存在している場合には多大の労力が必要となり作業性が悪く、前記支柱が小径の場合は折れたり曲がったりすることがあった。
また、杭を打ち込む場合でも多大の手間と労力が必要で、さらに杭に前記支柱を結束する手間もかかっていた。【０００５】  そこで、これまでに例えば特許文献１に開示されているような園芸用支柱を立てる補助用具が開発され市販されているが、この発明の場合、地表の設置スペースを多く要することや構成部材が多いことで製作コスト面に課題があった。
本考案は、上記課題を解決することを目的としている。
【課題を解決するための手段】
【０００６】本考案は、内径が園芸用支柱の外径よりやや大きな円筒状パイプの一端に盲蓋を固着し、前記盲蓋の外側中央に前記円筒状パイプの外径の３分の１乃至５分の１の外径で前記円筒状パイプの長さとほぼ同じ長さで、その先端が尖った棒状杭を前記円筒状パイプの軸心方向に固着し、前記円筒状パイプの前記盲蓋側の肉厚部に又は前記盲蓋の任意の箇所に１以上の水抜き穴を設けたことを特徴としている。
【考案の効果】
【０００７】本考案によれば、園芸用支柱を地中に突き立てることなく、少力で地表に固定した支柱受具の内径部に支柱の一端を差し込むだけで良く、結束作業も不要なため作業性良くかつ安定的に園芸用支柱を地表に立てることができる。【０００８】本考案の園芸用支柱受具は、シンプルな構成のためコスト削減が図れ、さらにメンテナンス面でも有利である。
【図面の簡単な説明】
【０００９】
【図１】  （ａ）は本考案に係る園芸用支柱受具の平面図であり、（ｂ）は正面図である。
【図２】  本考案に係る園芸用支柱受具の斜視図である。
【図３】  図１の（ａ）におけるＡ−Ａ線に沿った断面図である。
【考案を実施するための形態】
【００１０】以下、本考案に係る園芸用支柱受具の一実施の形態について、図１乃至図３に基づいて説明する。
園芸用支柱受具１は、支柱受用パイプ３、盲蓋４及び棒状杭６より構成されており、支柱受用パイプ３の盲蓋側には水抜き穴５が１又は２個程度開けられている。なお、この水抜き穴５は、支柱受用パイプ３側ではなく盲蓋４側に開けてもよい。また、棒状杭６の先端は尖った形状をしており、棒状杭６を地中に差し込みやすくしている。
【００１１】構成部材の材質を全て鋼製とすれば、盲蓋４及び棒状杭６は溶接で固着できる。支柱受用パイプ３及び棒状杭６の長さは、通常２０〜４０ｃｍ程度で両者ともほぼ同じ長さの構成とすれば効果的に作業性良く使用できる。
また、園芸用支柱の外径に応じて数種類のものを用意しておけば利便性が高まる。
【００１２】この園芸用支柱受具１の使用方法は、先ず、支柱受用パイプ３を手で持ち、支柱を立てる位置の地面に盲蓋４が地表に接するまで差し込み、次に園芸用支柱２の一端を支柱受用パイプ３の内径部の奥まで差し込めばよい。
【符号の説明】
【００１３】１    園芸用支柱受具
２    園芸用支柱
３    支柱受用パイプ
４    盲蓋
５    水抜き穴
６    棒状杭
６ａ  棒状杭先端部
【手続補正４】
【補正対象書類名】図面
【補正対象項目名】図４
【補正方法】削除
【補正の内容】
【手続補正５】
【補正対象書類名】図面
【補正対象項目名】図５
【補正方法】削除
【補正の内容】
【手続補正書】
【提出日】平成27年11月18日(2015.11.18)
【手続補正１】
【補正対象書類名】手続補正書
【補正対象項目名】手続補正２
【補正方法】変更
【補正の内容】
【手続補正２】
【補正対象書類名】実用新案登録請求の範囲
【補正対象項目名】全文
【補正方法】変更
【補正の内容】
【実用新案登録請求の範囲】
【請求項１】
内径が園芸用支柱の外径よりやや大きな円筒状パイプの一端に盲蓋を固着し、前記盲蓋の外側中央に前記円筒状パイプの外径の３分の１乃至５分の１の外径で前記円筒状パイプの長さとほぼ同じ長さで、その先端が尖った棒状杭を前記円筒状パイプの軸心方向に固着し、前記円筒状パイプの前記盲蓋側の肉厚部に又は前記盲蓋の任意の箇所に１以上の水抜き穴を設けたことを特徴とする園芸用支柱受具。
【手続補正２】
【補正対象書類名】手続補正書
【補正対象項目名】手続補正４
【補正方法】削除
【補正の内容】
【手続補正３】
【補正対象書類名】図面
【補正対象項目名】全図
【補正方法】変更
【補正の内容】
【図１】
0003202369.tif 000008
【図２】
0003202369.tif 000009
【図３】
0003202369.tif 000010